(57)【要約】【課題】集光レンズ２９の焦点位置調整及び２つのレンズ２３，２９の芯出し調整が簡単にすること。【解決手段】本体ケース７内の上部にＹ軸揺動レバー６５がＸ軸方向に平行な軸心周りに揺動可能に設けられ、Ｙ軸揺動レバー６５が一端側にＹ軸スピンドル６１に当接可能なＹ軸主動ローラ６７を有し、他端側にＹ軸スライド４１のＸＺ平面に当接可能なＹ軸従動ローラ６９を有し、本体ケース７内の上部にＸ軸揺動レバー７９がＹ軸方向に平行な軸心周りに揺動可能に設けられ、Ｘ軸揺動レバー７９が一端側にＸ軸スピンドル７７に当接可能なＸ軸主動ローラ８１を有し、他端側にＸ軸スライド４５のＹＺ平面に当接可能なＸ軸従動ローラ８３を有していること。【選択図】図１
2013097245.tif 000002
【特許請求の範囲】
【請求項１】
フィーディングファイバとプロセスファイバを光学的に接続するファイバカップリング装置において、
一側に前記フィーディングファイバの端部を接続可能な第１ファイバ接続部を有し、他側に前記プロセスファイバの端部を接続可能な第２ファイバ接続部を有した本体ケースと、
前記本体ケース内における前記第１ファイバ接続部側に設けられ、内部に前記フィーディングファイバからのレーザ光を平行光に変換するコリメートレンズが設置された第１鏡筒と、
前記本体ケース内における前記第２ファイバ接続部側に設けられ、内部に前記プロセスファイバに向かってレーザ光を集光する集光レンズが設置された第２鏡筒と、
前記本体ケース内にＺ軸方向へ変位可能に設けられたＺ軸スライド、前記Ｚ軸スライドにＹ軸方向へ変位可能に設けられたＹ軸スライド、及び前記Ｙ軸スライドにＸ軸方向へ変位可能に設けられかつ前記第１鏡筒と前記第２鏡筒のうちのいずれかの鏡筒が一体的に連結されたＸ軸スライドを備えたスライド機構と、
前記いずれかの鏡筒のＺ軸方向、Ｙ軸方向、及びＸ軸方向の位置を調整する調整機構と、を具備し、
前記調整機構は、
前記本体ケースの一方の側部に設けられ、先端側にＺ軸方向へ変位可能かつ前記Ｚ軸スライドに当接可能なＺ軸スピンドルを有したＺ軸マイクロメータヘッドと、
前記Ｚ軸スライドを前記Ｚ軸スピンドルに当接する方向へ付勢するＺ軸付勢部材と、
前記本体ケースの一方の側部に設けられ、先端側にＺ軸方向へ変位可能なＹ軸スピンドルを有したＹ軸マイクロメータヘッドと、
前記本体ケース内にＸ軸方向に平行な軸心周りに揺動可能に設けられ、一端側に前記Ｙ軸スピンドルに当接可能なＹ軸主動当接子を有し、他端側に前記Ｙ軸スライドのＸＺ平面に当接可能なＹ軸従動当接子を有したＹ軸揺動レバーと、
前記Ｙ軸スライドを前記Ｙ軸従動当接子に当接する方向へ付勢するＹ軸付勢部材と、
前記本体ケースの一方の側部に設けられ、先端側にＺ軸方向へ変位可能なＸ軸スピンドルを有したＸ軸マイクロメータヘッドと、
前記本体ケース内にＹ軸方向に平行な軸心周りに回転可能に設けられ、一端側に前記Ｘ軸スピンドルに当接可能なＸ軸主動当接子を有し、他端側に前記Ｘ軸スライドのＹＺ平面に当接可能なＸ軸従動当接子を有したＸ軸揺動レバーと、
前記Ｘ軸スライドを前記Ｘ軸従動当接子に当接する方向へ付勢するＸ軸付勢部材と、を備えたことを特徴とするファイバカップリング装置。
【請求項２】
前記Ｙ軸主動当接子がＸ軸方向に平行な軸心周りに回転可能なＹ軸主動ローラであって、前記Ｙ軸従動当接子がＸ軸方向に平行な軸心周りに回転可能なＹ軸従動ローラであって、前記Ｘ軸主動当接子がＹ軸方向に平行な軸心周りに回転可能なＸ軸主動ローラであって、前記Ｘ軸従動当接子がＹ軸方向に平行な軸心周りに回転可能なＸ軸従動ローラであることを特徴とする請求項１に記載のファイバカップリング装置。
【請求項３】
前記Ｚ軸スライドを前記本体ケースに対して固定するＺ軸ロック機構と、
前記Ｘ軸スライドを前記Ｚ軸スライドに対して固定するＸＹ軸ロック機構と、を具備したことを特徴とする請求項１又は請求項２に記載のファイバカップリング装置。
【請求項４】
前記Ｚ軸スライドを前記本体ケースに対して固定するＺ軸ロック機構と、
前記Ｙ軸スライドを前記Ｚ軸スライドに対して固定するＹ軸ロック機構と、
前記Ｘ軸スライドを前記Ｙ軸スライドに対して固定するＸ軸ロック機構と、を具備したことを特徴とする請求項１又は請求項２に記載のファイバカップリング装置。
【発明の詳細な説明】
【技術分野】
【０００１】
本発明は、フィーディングファイバとプロセスファイバを光学的に接続するファイバカップリング装置に関する。
【背景技術】
【０００２】
ファイバレーザ発振器にはファイバカップリング装置が用いられており、一般的なファイバカップリング装置の構成は、次のようになる。
【０００３】
ファイバカップリング装置は、ファイバレーザ発振器の筐体に設置されてあって、本体ケースをベースとして具備している。また、本体ケースは、一側（Ｚ軸方向の一側）に、フィーディングファイバの端部を接続可能な第１ファイバ接続部を有してあって、他側（Ｚ軸方向の他側）に、プロセスファイバの端部を接続可能な第２ファイバ接続部を有している。
【０００４】
本体ケース内における第１ファイバ接続部側には、第１鏡筒が設けられており、この第１鏡筒の内部には、フィーディングファイバからのレーザ光を平行光に変換するコリメートレンズが設置されている。また、本体ケース内における第２ファイバ接続部側には、第２鏡筒が設けられており、この第２鏡筒の内部には、前記プロセスファイバに向かってレーザ光を集光する集光レンズが設置されている。
【０００５】
本体ケース内における第１ファイバ接続部側には、Ｚ軸方向（光軸方向であって、左右方向）へ変位可能なＺ軸スライドが設けられており、このＺ軸スライドには、前述の第１鏡筒が一体的に連結されている。また、本体ケース内における第２ファイバ接続部側には、Ｙ軸方向（上下方向）へ変位可能なＹ軸スライドが設けられている。更に、Ｙ軸スライドには、Ｘ軸方向（前後方向）へ変位可能なＸ軸スライドが設けられており、このＸ軸スライドには、前述の第２鏡筒が一体的に連結されている。
【０００６】
本体ケースにおける第１ファイバ接続部の近傍には、Ｚ軸スライドのＺ軸方向の位置、換言すれば、第１鏡筒のＺ軸方向の位置を調整するＺ軸調整ねじが設けられており、このＺ軸調整ねじは、本体ケースのＺ軸方向の一方側から回転操作可能である。また、本体ケースにおける第２ファイバ接続部の近傍には、Ｙ軸スライドのＹ軸方向の位置、換言すれば、第２鏡筒のＹ軸方向の位置を調整するＹ軸調整ねじが設けられており、このＹ軸調整ねじは、本体ケースのＹ軸方向の一方側から回転操作可能である。更に、本体ケースにおける第２ファイバ接続部の近傍には、Ｘ軸スライドのＸ軸方向の位置、換言すれば、第２鏡筒のＸ軸方向の位置を調整するＸ軸調整ねじが設けられており、このＸ軸調整ねじは、本体ケースのＸ軸方向の一方側から回転操作可能である。
【０００７】
従って、プロセスファイバ等の交換等を行った後に、本体ケースのＺ軸方向の一方側からＺ軸調整ねじを回転操作して、第１鏡筒のＺ軸方向の位置を調整することにより、コリメートレンズを集光レンズに対してＺ軸方向へ変位させて、集光レンズの焦点位置調整を行う。続いて、本体ケースのＹ軸方向の一方側からＹ軸調整ねじを回転操作して、第２鏡筒のＹ軸方向の位置を調整すると共に、本体ケースのＸ軸方向の一方側からＸ軸調整ねじを回転操作して、第２鏡筒のＸ軸方向の位置を調整することにより、集光レンズをコリメートレンズに対してＹ軸方向及びＸ軸方向に変位させて、コリメートレンズと集光レンズの芯出し調整（２つのレンズの芯出し調整）を行う。
【０００８】
なお、本発明に関連する先行技術として特許文献１及び特許文献２に示すものがある。
【先行技術文献】
【特許文献】
【０００９】
【特許文献１】特開２０１０−５２０２３号公報
【特許文献２】特開２００８−２５８５２３号公報
【発明の概要】
【発明が解決しようとする課題】
【００１０】
ところで、前述のように、ファイバレーザ発振器の筐体内にファイバカップリングが設置された状態で、異なる３つの方向（本体ケースのＺ軸方向の一方側、本体ケースのＸ軸方向の一方側、及び本体ケースのＹ軸方向の一方側）から調整ねじ（Ｚ軸調整ねじ、Ｘ軸調整ねじ、及びＹ軸調整ねじ）を回転操作することにより集光レンズの焦点位置調整及び２つのレンズ（集光レンズとコリメートレンズ）の芯出し調整を行っているため、その調整作業が非常に厄介であり、調整作業に多くの時間を要するという問題がある。
【００１１】
なお、Ｘ軸調整ねじ及びＹ軸調整ねじを本体ケースのＺ軸方向の一方側から回転操作可能とし、クサビによってＸ軸調整ねじ及びＹ軸調整ねじの操作方向を調整方向としてのＸ軸方向及びＹ軸方向にそれぞれ変換する手法も採ることも考えられるが、Ｘ軸調整ねじ及びＹ軸調整ねじの操作方向を調整方向に変換する動作が安定せず、２つのレンズの芯出し調整の精度低下を招くおそれがある。
【００１２】
そこで、本発明は、前述の問題を解決することができる、新規な構成のファイバカップリング装置を提供することを目的とする。
【課題を解決するための手段】
【００１３】
本発明の特徴は、フィーディングファイバとプロセスファイバを光学的に接続するファイバカップリング装置において、
一側（Ｚ軸方向の一側）に前記フィーディングファイバの端部を接続可能な第１ファイバ接続部を有し、他側（Ｚ軸方向の他側）に前記プロセスファイバの端部を接続可能な第２ファイバ接続部を有した本体ケースと、
前記本体ケース内における前記第１ファイバ接続部側に設けられ、内部に前記フィーディングファイバからのレーザ光を平行光に変換するコリメートレンズが設置された第１鏡筒と、
前記本体ケース内における前記第２ファイバ接続部側に設けられ、内部に前記プロセスファイバに向かってレーザ光を集光する集光レンズが設置された第２鏡筒と、
前記本体ケース内にＺ軸方向へ変位可能に設けられたＺ軸スライド、前記Ｚ軸スライドにＹ軸方向へ変位可能に設けられたＹ軸スライド、及び前記Ｙ軸スライドにＸ軸方向へ変位可能に設けられかつ前記第１鏡筒と前記第２鏡筒のうちのいずれかの鏡筒が一体的に連結されたＸ軸スライドを備えたスライド機構と、
前記いずれかの鏡筒のＺ軸方向、Ｙ軸方向、及びＸ軸方向の位置を調整する調整機構と、を具備し、
前記調整機構は、
前記本体ケースの一方の側部（Ｚ軸方向の一方の側部）に設けられ、先端側にＺ軸方向へ変位可能かつ前記Ｚ軸スライドに当接可能なＺ軸スピンドルを有したＺ軸マイクロメータヘッドと、
前記Ｚ軸スライドを前記Ｚ軸スピンドルに当接する方向へ付勢するＺ軸付勢部材と、
前記本体ケースの一方の側部に設けられ、先端側にＺ軸方向へ変位可能なＹ軸スピンドルを有したＹ軸マイクロメータヘッドと、
前記本体ケース内にＸ軸方向に平行な軸心周りに揺動可能に設けられ、一端側に前記Ｙ軸スピンドルに当接可能なＹ軸主動当接子を有し、他端側に前記Ｙ軸スライドのＸＺ平面（Ｙ軸方向に直交する平面）に当接可能なＹ軸従動当接子を有したＹ軸揺動レバーと、
前記Ｙ軸スライドを前記Ｙ軸従動当接子に当接する方向へ付勢するＹ軸付勢部材と、
前記本体ケースの一方の側部に設けられ、先端側にＺ軸方向へ変位可能なＸ軸スピンドルを有したＸ軸マイクロメータヘッドと、
前記本体ケース内にＹ軸方向に平行な軸心周りに回転可能に設けられ、一端側に前記Ｘ軸スピンドルに当接可能なＸ軸主動当接子を有し、他端側に前記Ｘ軸スライドのＹＺ平面（Ｘ軸方向に直交する平面）に当接可能なＸ軸従動当接子を有したＸ軸揺動レバーと、
前記Ｘ軸スライドを前記Ｘ軸従動当接子に当接する方向へ付勢するＸ軸付勢部材と、を備えたことを要旨とする。
【００１４】
なお、本願の明細書及び特許請求の範囲において、「設けられ」とは、直接的に設けられたことの他に、別部材を介して間接的に設けられたこと、及び一体形成されたことを含む意である。また、「Ｚ軸方向」とは、前記プロセスファイバのコアを通るレーザ光の光軸方向のことをいい、「Ｙ軸方向」とは、Ｚ軸方向（光軸方向）に対して垂直な方向のことをいい、「Ｘ軸方向」とは、Ｚ軸方向及びＹ軸方向に対してに対して垂直な方向のことをいう。
【００１５】
本発明の特徴によると、前記本体ケースのＺ軸方向の一方側から前記Ｚ軸マイクロメータヘッドを回転操作して、前記Ｚ軸スピンドルをＺ軸方向へ変位させることにより、前記Ｚ軸スライドを前記Ｚ軸付勢部材の付勢力に抗してＺ軸方向へ変位させて、前記いずれかの鏡筒のＺ軸方向の位置を調整する。これにより、前記コリメートレンズを前記集光レンズに対して相対的にＺ軸方向へ変位させて、前記集光レンズの焦点位置調整を行うことができる。
【００１６】
続いて、前記本体ケースのＺ軸方向の一方側から前記Ｙ軸マイクロメータヘッドを回転操作して、前記Ｙ軸スピンドルをＺ軸方向へ変位させることにより、前記Ｙ軸揺動レバーをＸ軸方向に平行な軸心周りに揺動させつつ、前記Ｙ軸スライドを前記Ｙ軸付勢部材の付勢力に抗してＹ軸方向へ変位させて、前記いずれかの鏡筒のＹ軸方向の位置を調整する。また、前記本体ケースのＺ軸方向の一方側から前記Ｘ軸マイクロメータヘッドを回転操作して、前記Ｘ軸スピンドルをＺ軸方向へ変位させることにより、前記Ｘ軸揺動レバーをＹ軸方向に平行な軸心周りに揺動させつつ、前記Ｘ軸スライドを前記Ｘ軸付勢部材の付勢力に抗してＸ軸方向へ変位させて、前記いずれかの鏡筒のＸ軸方向の位置を調整する。これにより、前記集光レンズを前記コリメートレンズに対して相対的にＸ軸方向及びＹ軸方向に変位させて、前記コリメートレンズと前記集光レンズの芯出し調整（２つのレンズの芯出し調整）を行うことができる。
【００１７】
要するに、前記本体ケース内に前記Ｙ軸揺動レバーがＸ軸方向に平行な軸心周りに揺動可能に設けられ、前記Ｙ軸揺動レバーが一端側に前記Ｙ軸スピンドルに当接可能な前記Ｙ軸主動当接子を有し、他端側に前記Ｙ軸スライドのＸＺ平面に当接可能な前記Ｙ軸従動当接子を有しているため、前記Ｙ軸マイクロメータヘッドを前記Ｚ軸マイクロメータヘッドと同様に前記本体ケースのＺ軸方向の一方側から回転操作することができ、前記Ｙ軸マイクロメータヘッドの操作方向を調整方向であるＹ軸方向に安定的に変換することができる。
【００１８】
前記本体ケース内に前記Ｘ軸揺動レバーがＹ軸方向に平行な軸心周りに揺動可能に設けられ、前記Ｘ軸揺動レバーが一端側に前記Ｘ軸スピンドルに当接可能な前記Ｘ軸主動当接子を有し、他端側に前記Ｘ軸スライドのＹＺ平面に当接可能な前記Ｘ軸従動当接子を有しているため、前記Ｘ軸マイクロメータヘッドを前記Ｚ軸マイクロメータヘッドと同様に前記本体ケースのＺ軸方向の一方側から回転操作することができ、前記Ｘ軸マイクロメータヘッドの操作方向を調整方向であるＸ軸方向に安定的に変換することができる。
【発明の効果】
【００１９】
本発明によれば、前記Ｚ軸マイクロメータヘッド、前記Ｙ軸マイクロメータヘッド、及び前記Ｘ軸マイクロメータヘッドを同じ方向（前記本体ケースのＺ軸方向の一方側）から回転操作することができるため、前記集光レンズの焦点位置調整及び２つのレンズの芯出し調整が簡単になり、調整作業の時間を大幅に短縮することができる。
【００２０】
前記Ｙ軸マイクロメータヘッド及び前記Ｘ軸マイクロメータヘッドの操作方向を調整方向であるＹ軸方向及びＸ軸方向に安定的に変換することができるため、２つのレンズの芯出し調整の精度を高精度に保つことができる。
【図面の簡単な説明】
【００２１】
【図１】図１は、図３におけるII-II線に沿った図である。
【図２】図２は、本発明の実施形態に係るファイバカップリング装置の正断面図である。
【図３】図３は、図２におけるIII-III線に沿った図である。
【図４】図４は、図２におけるIV-IV線に沿った図である。
【図５】図５は、図１におけるV-V線に沿った図である。
【図６】図６は、本発明の実施形態に係るファイバカップリング装置の左側面図である。
【図７】図７は、本発明の実施形態に係るファイバカップリング装置における調整機構の別態様を示す図である。
【図８】図８は、図２における矢視部VIIIの拡大図である。
【発明を実施するための形態】
【００２２】
本発明の実施形態について図１から図８を参照して説明する。なお、図面中、「ＦＦ」は、前方向、「ＦＲ」は、後方向、「Ｌ」は、左方向、「Ｒ」は、右方向、「Ｕ」は、上方向、「Ｄ」は、下方向をそれぞれを指してある。
【００２３】
図１及び図２に示すように、本発明の実施形態に係るファイバカップリング装置１は、ファイバ径の異なるフィーディングファイバ３とプロセスファイバ５を光学的に接続するものであって、ファイバレーザ発振器の筐体（図示省略）内に設置される。そして、ファイバカップリング装置１の構成の詳細は、以下のようになる。
【００２４】
ファイバカップリング装置１は、本体ケース７をベースとして具備しており、この本体ケース７の内部には、密閉空間Ｓが区画形成されている。また、本体ケース７のＺ軸方向（光軸方向であって、左右方向）の一側（右側）には、支持筒９が設けられており、この支持筒９には、フィーディングファイバ３の端部をコネクタ１１を介して接続可能な第１ファイバ接続部としての第１レセプタ１３が設けられており、換言すれば、本体ケース７は、右側に、第１レセプタ１３を有している。更に、本体ケース７のＺ軸方向の他側（左側）には、支持リング１５が設けられており、この支持リング１５には、プロセスファイバ５の端部をコネクタ１７を介して接続可能な第２ファイバ接続部としての第２レセプタ１９が設けられており、換言すれば、本体ケース７は、左側に、第２レセプタ１９を有している。
【００２５】
支持筒９には、第１鏡筒２１が設けられており、換言すれば、本体ケース７内における第１レセプタ１３側には、第１鏡筒２１が設けられており、この第１鏡筒２１の内部には、フィーディングファイバ３からのレーザ光を平行光に変換するコリメートレンズ２３が設置されている。また、第１鏡筒２１は、先端側に、コリメートレンズ２３を保持するレンズホルダ２５を有している。
【００２６】
本体ケース７内における第２レセプタ１９側には、第２鏡筒２７が設けられており、この第２鏡筒２７の内部には、プロセスファイバ５に向かってレーザ光を集光する集光レンズ２９が設置されている。また、第２鏡筒２７は、先端側に、集光レンズ２９を保持するレンズホルダ３１を有している。
【００２７】
図１、図２、図３、及び図５に示すように、本体ケース７内には、第２鏡筒２７をＺ軸方向、Ｙ軸方向（上下方向）、及びＸ軸方向（前後方向）へ変位させるためのスライド機構３３が設けられており、このスライド機構３３の具体的な構成は、次のようになる。
【００２８】
即ち、本体ケース７の底面には、正面視Ｔ字形状のＺ軸スライド３５がＺ軸方向へ延びたＺ軸ＬＭガイド３７を介してＺ軸方向へ変位可能に設けられており、このＺ軸スライド３５は、左側に、当接ピン３９を有してあって、Ｚ軸スライド３５には、第２鏡筒２７の先端部を挿入可能な開口部３５ｍが形成されている。また、Ｚ軸スライド３５には、Ｙ軸スライド４１がＹ軸方向へ延びた一対のＹ軸ＬＭガイド４３を介してＹ軸方向へ変位可能に設けられており、このＹ軸スライド４１には、第２鏡筒２７を挿通可能な開口部４３ｍが形成されている。更に、Ｙ軸スライド４１には、Ｘ軸スライド４５がＸ軸方向へ延びたＸ軸ＬＭガイド４７を介してＸ軸方向へ変位可能に設けられており、このＸ軸スライド４５は、前側（Ｘ軸方向の一側）に、ブラケット（支持板）４９を有してあって、Ｘ軸スライド４５には、第２鏡筒２７が一体的に連結されている。
【００２９】
図１、図３から図６に示すように、ファイバカップリング装置１は、第２鏡筒２７をＺ軸方向、Ｙ軸方向、及びＸ軸方向の位置を調整する調整機構５１を具備しており、この調整機構５１の具体的な構成は、次のようになる。
【００３０】
即ち、本体ケース７の左側部（Ｚ軸方向の一方の側部）には、Ｚ軸マイクロメータヘッド５３が設けられており、このＺ軸マイクロメータヘッド５３は、本体ケース７の左方側（Ｚ軸方向の一方側）から回転操作可能であって、先端側に、Ｚ軸方向へ変位可能かつＺ軸スライド３５の当接ピン３９に当接可能なＺ軸スピンドル５５を有している。また、Ｚ軸スライド３５の下面に形成された収容溝（収容凹部３５ｇには、Ｚ軸スライド３５の当接ピン３９をＺ軸スピンドル５５に当接する方向（左方向）へ付勢するＺ軸付勢部材としてのスプリング５７が設けられおり、このスプリング５７の付勢力は、適宜に調節可能になっている。
【００３１】
本体ケース７の左側部には、Ｙ軸マイクロメータヘッド５９が設けられており、このＹ軸マイクロメータヘッド５９は、本体ケース７の左方側から回転操作可能であって、先端側に、Ｚ軸方向へ変位可能なＹ軸スピンドル６１を有している。また、本体ケース７内の上部には、支持ブロック６３が設けられており、この支持ブロック６３には、Ｙ軸揺動レバー６５がＸ軸方向に平行な軸心周りに揺動可能に設けられている。換言すれば、本体ケース７内の上部には、Ｙ軸揺動レバー６５が支持ブロック６３を介してＸ軸方向に平行な軸心周りに揺動可能に設けられている。そして、Ｙ軸揺動レバー６５は、一端側に、Ｙ軸スピンドル６１に当接可能なＹ軸主動当接子としてＹ軸主動ローラ６７を有しており、他端側に、Ｘ軸スライド４５のＸＺ平面（Ｙ軸方向に直交する平面）に当接可能なＹ軸従動当接子としてＹ軸従動ローラ６９を有しており、Ｙ軸主動ローラ６７及びＹ軸従動ローラ６９は、Ｘ軸方向に平行な軸心周りにそれぞれ回転可能になっている。更に、Ｙ軸スライド４１の上面には、Ｙ軸スライド４１をＹ軸従動ローラ６９に当接する方向（上方向）へ付勢するＹ軸付勢部材としてＹ軸スプリングプランジャ７１が設けられており、このＹ軸スプリングプランジャ７１は、先端側に、Ｚ軸スライド３５の上面に当接可能なＹ軸当接ピン７３を有している。
【００３２】
本体ケース７の左側部には、Ｘ軸マイクロメータヘッド７５が設けられており、このＸ軸マイクロメータヘッド７５は、本体ケース７の左方側から回転操作可能であって、先端側に、Ｚ軸方向へ変位可能なＸ軸スピンドル７７を有している。また、支持ブロック６３には、Ｘ軸揺動レバー７９がＹ軸方向に平行な軸心周りに揺動可能に設けられており、換言すれば、本体ケース７内の上部には、Ｘ軸揺動レバー７９が支持ブロック６３を介してＹ軸方向に平行な軸心周りに揺動可能に設けられている。そして、Ｘ軸揺動レバー７９は、一端側に、Ｘ軸スピンドル７７に当接可能なＸ軸主動当接子としてＸ軸主動ローラ８１を有しており、他端側に、Ｘ軸スライド４５のＹＺ平面（Ｘ軸方向に直交する平面）に当接可能なＸ軸従動当接子としてＸ軸従動ローラ８３を有してあって、Ｘ軸主動ローラ８１及びＸ軸従動ローラ８３は、Ｙ軸方向に平行な軸心周りにそれぞれ回転可能である。更に、Ｘ軸スライド４５のブラケット４９の前面には、Ｘ軸スライド４５をＸ軸従動ローラ８３に当接する方向（前方向）へ付勢するＸ軸付勢部材としてＸ軸スプリングプランジャ８５が設けられており、このＸ軸スプリングプランジャ８５は、先端側に、Ｙ軸スライド４１の前端面に当接可能なＸ軸当接ピン８７を有している。
【００３３】
なお、図７に示すように、Ｙ軸揺動レバー６５は、一端側に、Ｙ軸主動ローラ６７の代わりにＹ軸主動当接子としてＹ軸主動ボス８９を有し、他端側に、Ｙ軸従動ローラ６９の代わりにＹ軸従動当接子としてＹ軸従動ボス９１を有するようにしても構わない。同様に、Ｘ軸揺動レバー７９は、一端側に、Ｘ軸主動ローラ８１の代わりにＸ軸主動当接子としてＸ軸主動ボス９３を有し、他端側に、Ｘ軸従動ローラ８３の代わりにＸ軸従動当接子としてＸ軸従動ボス９５を有するようにしても構わない。
【００３４】
図１及び図６に示すように、ファイバカップリング装置１は、Ｚ軸スライド３５をＺ軸方向から本体ケース７に対して固定するＺ軸ロック機構９７を具備しており、このＺ軸ロック機構９７の具体的な構成は、次のようになる。
【００３５】
即ち、Ｚ軸スライド３５の左端面には、Ｚ軸方向へ延びた連結ロッド９９が一体的に設けられており、この連結ロッド９９は、本体ケース７の左側部に挿通してある。また、本体ケース７の左側部には、連結ロッド９９をＺ軸方向に直交する方向から把持（保持）するクランプ部材１０１が設けられており、このクランプ部材１０１は、本体ケース７の左側方から回転操作可能なクランプねじ１０３を備えている。
【００３６】
図２、図６、及び図８に示すように、ファイバカップリング装置１は、Ｘ軸スライド４５をＺ軸方向からＺ軸スライド３５に対して固定するＸＹ軸ロック機構１０５を具備しており、このＸＹ軸ロック機構１０５の具体的な構成は、次のようになる。
【００３７】
即ち、Ｘ軸スライド４５の下部（下側）には、ロック片１０７が一体形成されており、このロック片１０７は、Ｚ軸スライド３５のＸＹ平面（Ｚ軸方向に直交する平面）に対向してあって、第２鏡筒２７の下側に位置している。また、ロック片１０７には、貫通穴１０７ｈが形成されており、ロック片１０７の基端側には、溝（横溝）１０７ｓがＸ軸方向に沿って形成されている。ここで、Ｘ軸スライド４５をＺ軸スライド３５に対して固定する前において、ロック片１０７とＺ軸スライド３５との間には、Ｚ軸方向のクリアランスＣが区画形成されている。更に、Ｚ軸スライド３５のＸＹ平面には、ロック片１０７を座金１０９を介してＺ軸スライド３５のＸＹ平面側に押圧するロックねじ１１１が螺合して設けられており、このロックねじ１１１は、本体ケース７の左方側から回転操作可能であって、ロック片１０７の貫通穴１０７ｈにＹ軸方向及びＸ軸方向に相対的に変位可能に挿通してある。そして、ＸＹ軸ロック機構１０５は、ロックねじ１１１の回転操作によってロック片１０７をＺ軸スライド３５のＸＹ平面側に押圧すると、Ｚ軸方向のクリアランスＣ分だけロック片１０７が溝１０７ｓ側を起点として弾性変形してＺ軸スライド３５のＸＹ平面に圧接するように構成されている。ここで、ロック片１０７の圧接力は、Ｘ軸スライド４５がＺ軸スライド３５に対してＸ軸方向及びＹ軸方向に変位しない程度に設定されている。なお、ロック片１０７の押圧状態が解除されると、ロック片１０７が弾性復帰して、Ｘ軸スライド４５をＺ軸スライド３５に対して固定する前の状態に復帰するようになっている。
【００３８】
次に、本発明の実施形態の作用及び効果について説明する。
【００３９】
本体ケース７の左方側からＺ軸マイクロメータヘッド５３を回転操作して、Ｚ軸スピンドル５５をＺ軸方向へ変位させることにより、Ｚ軸スライド３５をスプリング５７の付勢力に抗してＺ軸方向へ変位させて、第２鏡筒２７のＺ軸方向の位置を調整する。これにより、集光レンズ２９をコリメートレンズ２３に対してＺ軸方向へ変位させて、集光レンズ２９の焦点位置調整を行うことができる。
【００４０】
続いて、本体ケース７の左方側からクランプねじ１０１を回転操作して、クランプ部材１０１によって連結ロッド９９をＺ軸方向に直交する方向から把持することにより、Ｚ軸スライド３５をＺ軸方向に直交する方向から本体ケース７に対してＺ軸方向に移動不能に固定する。これにより、第２鏡筒２７を本体ケース７に対してＺ軸方向に移動不能に固定することができる。
【００４１】
第２鏡筒２７を本体ケース７に対してＺ軸方向に移動不能に固定した後に、本体ケース７の左方側からＹ軸マイクロメータヘッド５９を回転操作して、Ｙ軸スピンドル６１をＺ軸方向へ変位させることにより、Ｙ軸揺動レバー６５をＸ軸方向に平行な軸心周りに揺動させつつ、Ｙ軸スライド４１をＹ軸スプリングプランジャ７１の付勢力に抗してＹ軸方向へ変位させて、第２鏡筒２７のＹ軸方向の位置を調整する。また、本体ケース７の左方側からＸ軸マイクロメータヘッド７５を回転操作して、Ｘ軸スピンドル７７をＺ軸方向へ変位させることにより、Ｘ軸揺動レバー７９をＹ軸方向に平行な軸心周りに揺動させつつ、Ｘ軸スライド４５をＸ軸スプリングプランジャ８５の付勢力に抗してＸ軸方向へ変位させて、第２鏡筒２７のＸ軸方向の位置を調整する。これにより、集光レンズ２９をコリメートレンズ２３に対して相対的にＸ軸方向及びＹ軸方向に変位させて、コリメートレンズ２３と集光レンズ２９の芯出し調整（２つのレンズ２３，２９の芯出し調整）を行うことができる。
【００４２】
続いて、本体ケース７の左方側からロックねじ１１１を回転操作して、ロック片１０７をＺ軸方向からＺ軸スライド３５のＸＹ平面側に押圧することにより、ロック片１０７がＺ軸方向のクリアランスＣ分だけ弾性変形しながらＺ軸スライド３５のＸＹ平面に圧接して、Ｘ軸スライド４５をＺ軸方向からＺ軸スライド３５に対してＸ軸方向及びＹ軸方向に移動不能に固定する。これにより、第２鏡筒２７を本体ケース７に対してＸ軸方向及びＹ軸方向に移動不能に固定することができる。
【００４３】
要するに、本体ケース７内の上部にＹ軸揺動レバー６５がＸ軸方向に平行な軸心周りに揺動可能に設けられ、Ｙ軸揺動レバー６５が一端側にＹ軸スピンドル６１に当接可能なＹ軸主動ローラ６７又はＹ軸主動ボス８９を有し、他端側にＹ軸スライド４１のＸＺ平面に当接可能なＹ軸従動ローラ６９又はＹ軸従動ボス９１を有しているため、Ｙ軸マイクロメータヘッド５９をＺ軸マイクロメータヘッド５３と同様に本体ケース７の左方側から回転操作することができ、Ｙ軸マイクロメータヘッド５９の操作方向を調整方向であるＹ軸方向に安定的に変換することができる。
【００４４】
本体ケース７内の上部にＸ軸揺動レバー７９がＹ軸方向に平行な軸心周りに揺動可能に設けられ、Ｘ軸揺動レバー７９が一端側にＸ軸スピンドル７７に当接可能なＸ軸主動ローラ８１又はＸ軸主動ボス９３を有し、他端側にＸ軸スライド４５のＹＺ平面に当接可能なＸ軸従動ローラ８３又はＸ軸従動ボス９５を有しているため、Ｘ軸マイクロメータヘッド７５をＺ軸マイクロメータヘッド５３と同様に本体ケース７の左方側から回転操作することができ、Ｘ軸マイクロメータヘッド７５の操作方向を調整方向であるＸ軸方向に安定的に変換することができる。
【００４５】
従って、本発明の実施形態によれば、Ｚ軸マイクロメータヘッド５３、Ｙ軸マイクロメータヘッド５９、及びＸ軸マイクロメータヘッド７５を同じ方向（本体ケース７の左方側）から回転操作することができるため、集光レンズ２９の焦点位置調整及び２つのレンズ２３，２９の芯出し調整が簡単になり、調整作業の時間を大幅に短縮することができる。
【００４６】
Ｙ軸マイクロメータヘッド５９及びＸ軸マイクロメータヘッド７５の操作方向を調整方向であるＹ軸方向及びＸ軸方向に安定的に変換することができるため、２つのレンズ２３，２９の芯出し調整の精度を高精度に保つことができる。
【００４７】
なお、本発明は、前述の実施形態の説明に限られるものではなく、例えば、次のように、種々の態様で実施可能である。
【００４８】
即ち、Ｘ軸スライド４５に第２鏡筒２７が一体的に連結される代わりに、Ｘ軸スライド４５に第１鏡筒２１が一体的に連結されるようにしても構わない。また、Ｘ軸スライド４５をＺ軸方向からＺ軸スライド３５に対して固定するＸＹ軸ロック機構１０５を、Ｙ軸スライド４１をＺ軸スライド３５に対して固定するＹ軸ロック機構（図示省略）と、Ｘ軸スライド４５をＹ軸スライド４１に対して固定するＸ軸ロック機構（図示省略）とに分けても構わない。
【００４９】
そして、本発明に包含される権利範囲は、これらの実施形態に限定されないものである。
【符号の説明】
【００５０】
１    ファイバカップリング装置
３    フィーディングファイバ
５    プロセスファイバ
７    本体ケース
９    支持筒
１３    第１レセプタ
１５    支持リング
１９    第２レセプタ
２１    第１鏡筒
２３    コリメートレンズ
２７    第２鏡筒
２９    集光レンズ
３３    スライド機構
３５    Ｚ軸スライド
３７    Ｚ軸ＬＭガイド
３９    当接ピン
４１    Ｙ軸スライド
４３    Ｙ軸ＬＭガイド
４５    Ｘ軸スライド
４７    Ｘ軸ＬＭガイド
４９    ブラケット
５１    調整機構
５３    Ｚ軸マイクロメータヘッド
５５    Ｚ軸スピンドル
５７    スプリング
５９    Ｙ軸マイクロメータヘッド
６１    Ｙ軸スピンドル
６３    支持ブロック
６５    Ｙ軸揺動レバー
６７    Ｙ軸主動ローラ
６９    Ｙ軸従動ローラ
７１    Ｙ軸スプリングプランジャ
７３    Ｙ軸当接ピン
７５    Ｘ軸マイクロメータヘッド
７７    Ｘ軸スピンドル
７９    Ｘ軸揺動レバー
８１    Ｘ軸主動ローラ
８３    Ｘ軸従動ローラ
８５    Ｘ軸スプリングプランジャ
８７    Ｘ軸当接ピン
８９    Ｙ軸主動ボス
９１    Ｙ軸従動ボス
９３    Ｘ軸主動ボス
９５    Ｘ軸従動ボス
９７    Ｚ軸ロック機構
９９    連結ロッド
１０１    クランプ部材
１０３    クランプねじ
１０５    ＸＹ軸ロック機構
１０７    ロック片
１０７ｈ  貫通穴
１０７ｓ  溝
１０９    座金
１１１    ロックねじ
【図１】
2013097245.tif 000003
【図２】
2013097245.tif 000004
【図３】
2013097245.tif 000005
【図４】
2013097245.tif 000006
【図５】
2013097245.tif 000007
【図６】
2013097245.tif 000008
【図７】
2013097245.tif 000009
【図８】
2013097245.tif 000010